(57)【要約】      （修正有）【課題】採光性を損なわず、開放感に優れた場所として専用スペースを有効に利用することができる住宅を提供する。【解決手段】住宅１は、住戸２部分と、専用スペース３と、張り出し床４と、を備える。住戸部分は、住人が起居する部分である。専用スペースは、住戸部分に接して住戸外に設けられる。張り出し床は、専用スペースに、住戸部分の床面と同程度の高さとなるように、床面から連続して設けられる。【選択図】図１
0003226299.tif 000002
【実用新案登録請求の範囲】
【請求項１】
住人が起居する住戸部分と、
前記住戸部分に接して住戸外に設けられる屋外専用スペースと、
前記屋外専用スペースに、前記住戸部分の床面と同程度の高さとなるように、前記床面から連続して設けられる張り出し床と、
を備えることを特徴とする住宅。
【請求項２】
前記床面と前記張り出し床との境界には、折りたたみ自在な仕切戸が設けられていることを特徴とする請求項１に記載の住宅。
【請求項３】
前記張り出し床の上部を覆うことができる伸縮式の可動屋根を備えることを特徴とする請求項１または請求項２に記載の住宅。
【請求項４】
前記張り出し床が設けられている第１の住戸部分の直上階に連続して第２の住戸部分が設けられている場合に、前記可動屋根は、前記第１の住戸部分と前記第２の住戸部分とをつなぐ壁面に設けられていることを特徴とする請求項３に記載の住宅。
【請求項５】
前記屋外専用スペースには、前記住人が使用することができるスロップシンクが備えられていることを特徴とする請求項１ないし請求項４のいずれかに記載の住宅。
【請求項６】
前記屋外専用スペースには、燈火類が設けられていることを特徴とする請求項１ないし請求項５のいずれかに記載の住宅。
【請求項７】
前記屋外専用スペースには、防水コンセントが設けられていることを特徴とする請求項１ないし請求項６のいずれかに記載の住宅。
【考案の詳細な説明】
【技術分野】
【０００１】
本考案の実施の形態は、住宅に関する。
【背景技術】
【０００２】
住宅において、１階の住戸内への採光は、例えば、住戸が面している庭等の空間を介して行われている。これは、戸建てであってもマンション等の集合住宅においても同様である。
【０００３】
但し、集合住宅の場合は特に、多くの住戸が壁を介して両隣の住戸と接しているため、これらの部分を利用して採光することはできない。また、玄関側から採光するにしても十分ではないことから、集合住宅の場合、住戸内に採光する場合には、どうしても玄関とは反対側のベランダ側から採光することになる。
【０００４】
住戸内に採光することで住戸内が明るくなるとともに、開放感も得られる。また開放感が得られるかどうかは、明るさだけではなく、例えば、窓が大きく開くことで住戸内と住戸外との一体感が形成されるといった住戸の構造にも左右される。
【０００５】
ここで集合住宅の１階の住戸の場合、住戸が面している屋外の空間を各住戸が専用する屋外専用スペースとして用いることができるようにされていることもある。そのため、屋外専用スペースを有する１階の住戸の場合には、この屋外専用スペースを用いて採光するようにされている。
【０００６】
また、このような屋外専用スペースを有する１階の住戸の場合、住戸内から直接当該屋外専用スペースに出入りできるようにされている。そしてこの屋外専用スペースは、概ね２階以上の住戸に設けられているベランダよりも広い空間が確保されている。その意味で、特に集合住宅において屋外専用スペースを有する１階の住戸の方が２階以上の住戸よりも一般的に開放感があるものと考えられる。
【考案の概要】
【考案が解決しようとする課題】
【０００７】
しかしながら、住宅地が限られる国土にあって、住戸において屋外専用スペースを確保することは困難な場合が多い。また、特に集合住宅の場合、住戸の幅（両隣の住戸の間の距離）は概ね限定されることから、屋外専用スペースはこの幅で住戸内から住戸外に向かって設けられるに過ぎず、住戸内から住戸外への距離が短ければそれだけ開放感は失われることになる。
【０００８】
また、住戸内から屋外専用スペースへと出る箇所には、大きな段差があることから、開放感は確保されても、いざ住戸外に出ようとするとこの段差を意識せざるを得ない。これでは屋外専用スペースが設けられていても手軽に住戸内から住戸外に出られず、十分な開放感を享受できない。
【０００９】
本考案は上記課題を解決するためになされたものであり、本考案の目的は、採光性を損なわず、開放感に優れた場所として屋外専用スペースを有効に利用することができる住宅を提供することにある。
【００１０】
そのため、特に、住戸内と屋外専用スペースとの間を円滑に行き来することができる住宅を提供することを目的とする。
【課題を解決するための手段】
【００１１】
上記課題を解決するために、請求項１に記載の考案に係る住宅は、住戸部分と、屋外専用スペースと、張り出し床と、を備える。住戸部分は、住人が起居する。屋外専用スペースは、住戸部分に接して住戸外に設けられる。張り出し床は、屋外専用スペースに、住戸部分の床面と同程度の高さとなるように、床面から連続して設けられることを特徴とする。
【００１２】
また、上記課題を解決するために、請求項２に記載の考案に係る住宅は、床面と張り出し床との境界には、折りたたみ自在な仕切戸が設けられていることを特徴とする。
【００１３】
さらに、上記課題を解決するために、請求項３に記載の考案に係る住宅は、張り出し床の上部を覆うことができる伸縮式の可動屋根を備えることを特徴とする。
【００１４】
上記課題を解決するために、請求項４に記載の考案に係る住宅において、この可動屋根は、張り出し床が設けられている第１の住戸部分の直上階に連続して第２の住戸部分が設けられている場合に、第１の住戸部分と第２の住戸部分とをつなぐ壁面に設けられていることを特徴とする。
【００１５】
また、上記課題を解決するために、請求項５に記載の考案に係る住宅は、屋外専用スペースには、住人が使用することができるスロップシンクが備えられていることを特徴とする。
【００１６】
さらに、上記課題を解決するために、請求項６に記載の考案に係る住宅は、屋外専用スペースには、住人が使用することができる燈火類が備えられていることを特徴とする。
【００１７】
また、上記課題を解決するために、請求項７に記載の考案に係る住宅は、屋外専用スペースには、住人が使用することができる防水コンセントが備えられていることを特徴とする。
【考案の効果】
【００１８】
請求項１に記載の考案によれば、屋外専用スペースに、住戸の床面と同程度の高さとなるように、床面から連続する張り出し床が設けられる。そのため、採光性を損なわず、開放感に優れた場所として屋外専用スペースを有効に利用することができるとともに、住戸内と屋外専用スペースとの間を円滑に行き来することができる。
【００１９】
請求項２に記載の考案によれば、床面と張り出し床との境界に、折りたたみ自在な仕切戸が設けられる。そのため、採光性を損なわず、開放感にも優れる住宅を提供することができる。
【００２０】
請求項３に記載の考案によれば、張り出し床の上部を覆うことができる伸縮式の可動屋根が備えられるため、採光性及び開放感を充分に享受しつつ、日差しを和らげ、雨天においても張り出し床の使用を可能とすることができる。
【００２１】
請求項４に記載の考案によれば、張り出し床が設けられている第１の住戸部分の直上階に連続して第２の住戸部分が設けられている場合に、可動屋根は、第１の住戸部分と第２の住戸部分とをつなぐ壁面に設けられる。このように可動屋根が１階住戸の天井部分に設けられていないため、張り出し床に対して有効に日差しを和らげることができる。また、可動屋根が格納された際の張り出し床の上部空間からの圧迫感が和らげられるとともに、１階住戸の天井部分がすっきりとした状態に保つことができる。
【００２２】
請求項５ないし請求項７に記載の考案によれば、屋外専用スペースには、住人が使用することができるスロップシンク、燈火類、防水コンセントといった設備が設けられる。これらの設備が設けられていることによって、張り出し床及び屋外専用スペースをより有効に利用することができる。
【図面の簡単な説明】
【００２３】
【図１】実施の形態における住宅の構成を一部破断して示す斜視図である。
【図２】実施の形態における屋外専用スペースの部分を拡大して示す斜視図である。
【図３】実施の形態における住宅の１階部分を構成する住戸を示す平面図である。
【考案を実施するための形態】
【００２４】
以下、実施の形態について図面を参照して詳細に説明する。
【００２５】
図１は、実施の形態における住宅１の構成を一部破断して示す斜視図である。なお、以下では、住宅の一例として、集合住宅を例に挙げて説明する。
【００２６】
図１に示すように、住宅１は、例えば５階にわたって住戸部分（以下、単に「住戸」と表す。）が設けられている多層建の集合住宅である。１階部分の住戸２には、例えば専用の庭を含む、（住戸外の）屋外の専用スペース３が設けられている。
【００２７】
当該屋外専用スペース３には、図１では図示を省略しているが、張り出し床４が設けられている。また、この張り出し床４の上部に張り出すように、可動屋根５が設けられている。
【００２８】
図２は、実施の形態における屋外専用スペース３の部分を拡大して示す斜視図である。また、図３は、実施の形態における住宅１の１階部分を構成する住戸２を示す平面図である。なお、図１ないし図３に示す住戸２や屋外専用スペース３等の形状、配置は、本願の実施の形態に係る考案をより説明を適切に行うべく、相互の図において一致していない。
【００２９】
図２では、図３と同様、住宅１の１階部分が示されている。すなわち、図２の正面視における最も左側が住宅１内の敷地と住宅１外の敷地を隔てる境界である。また、図２の右奥に住戸２が示されている。そして、境界と住宅１の１階部分の住戸２との間には、屋外専用スペース３が設けられている。
【００３０】
屋外専用スペース３には、張り出し床４が設けられている。また、図２や図３に示す例においては、張り出し床４の他の屋外専用スペース３は、庭として使用されている。また、当該住戸２の両隣の住戸との境界にはフェンス６が設けられており、個々の住戸２が備える屋外専用スペース３を区切っている。
【００３１】
張り出し床４は、住戸２の床面と同程度の高さとなるように、当該床面から連続して設けられる。すなわち、図２にも示されているように、屋外専用スペース３の高さよりもかさ上げして張り出し床４の高さを住戸２の床面と同程度の高さとし、当該床面と張り出し床４とが概ね面一となるようにしている。張り出し床４をこのように施工することで、住戸２内と屋外専用スペース３との間を円滑に行き来することができる。
【００３２】
このように本考案での住戸における張り出し床と住戸の床面とは、同程度の高さ、概ね面一となるようにされている。すなわち、このような構造を採用することによって、例えば、住人が張り出し床４とリビングダイニング２２とを行き来する際に、安全かつ障害となることなく、しかも雨水等の吹き込みが防止できる。もちろん、張り出し床４とリビングダイニング２２との間に段差がなく、完全な面一になっている場合を除くものではない。従って、この張り出し床４とリビングダイニング２２とが面一になっている場合もこの考案に言う「張り出し床と住戸の床面とが同程度の高さ」に含まれる。
【００３３】
また、張り出し床４の構造や張り出し床４を構成する材料については、どのような構造、材料も採用することができる。例えば、雨が降っても張り出し床４に雨水が溜まらない材料や濡れても乾きやすい材料を用いることができる。また、雨天の際、張り出し床４の表面から下に落ちた雨水が適切に流れるようにされている。
【００３４】
住戸２の内外の境界には、仕切戸７が設置されており、住戸２の内外を区切っている。この仕切戸７は、図３に二重破線で示すようにその中央部が開放されるように折りたたみ自在に構成されている。このため、この仕切戸７を開いた場合には、この仕切戸７が中央部分にとどまったり、引き戸のように左右いずれかに戸が残ることがないので、住戸２の内外が連通される。このため、張り出し床４が設けられていることとも相まって高い開放感が得られる。
【００３５】
このように張り出し床４とリビングダイニング２２との境界には、上述したように仕切戸７が設けられている。図３では、当該仕切戸７が閉まった状態を実線で示し、開いた状態を二重破線で示している。図３に示すように、仕切戸７を開くと張り出し床４とリビングダイニング２２との境界中央部が大きく開口し、しかも張り出し床４の高さがリビングダイニング２２の高さと揃えられていことから、より大きな開放感を得ることができる。
【００３６】
なお、住戸２内の構造（間取り）については、例えば、図３に示す通りである。すなわち、住戸２は、屋外専用スペース３から玄関２１に向けて、リビングダイニング２２と、キッチン２３と、リビングダイニング２２に向けてキッチン２３に立った時に、その背後に設けられる洗面室２４と、浴室２５と、トイレ２６とを備える。さらに、図３に示す間取りの場合、リビングダイニング２２横の第１の居室２７と、キッチン２３横の第２の居室２８と、玄関２１を挟んで両側に設けられている第３の居室２９と第４の居室３０とを備える。
【００３７】
なお、住戸２内の間取りについては、図３に示す間取りに限られるわけではなく、その他の間取りとされていても良い。また、図３に示す住戸２の両隣には、同じような住戸２が配置されている。
【００３８】
上述したように、張り出し床４は、リビングダイニング２２と概ね面一となるように配置されている。従って、住人は段差を意識することなくリビングダイニング２２と張り出し床４とを行き来することができる。
【００３９】
図２に戻って、張り出し床４の上部には、伸縮式の可動屋根５が設置されている。具体的には、可動屋根５は、張り出し床４が設けられている第１の住戸部分（上述した住戸２）の直上階に連続して第２の住戸部分４０が設けられている場合に、第１の住戸部分と第２の住戸部分４０とをつなぐ壁面２０に設けられている。
【００４０】
なお、図１や図２に示されているように、張り出し床４の上方は、その一部が張り出して設けられた上階（上述した第２の住戸部分）４０のバルコニー４１によって覆われている。従って、可動屋根５は、このバルコニー４１の外側に取り付けられている。
【００４１】
可動屋根５は、使用しない場合にはバルコニー４１の外側に取り付けられているケース内に巻き取られた状態、或いは、折りたたまれた状態となるように収納される。一方使用時には、可動屋根５が引き出され、第２の住戸部分４０のバルコニー４１によって覆われない張り出し床４の領域を覆って、日差しや雨等を避けるようになっている。
【００４２】
可動屋根５は、伸縮自在とされており、住戸２の住人が自由に広げたり縮めたりすることができる。また、図２に示す可動屋根５の場合、広げると概ね張り出し床４の全てを覆うことができる大きさにされている。なお、可動屋根５の伸縮は、モータ等を利用した電動であっても手動であっても良い。
【００４３】
また、図２、或いは、図３に示されているように、屋外専用スペース３には、スロップシンク３１、燈火類３２、防水コンセント３３といった設備が設けられていても良い。これらの付帯設備は、住戸２の住人が任意に選定し取り付けることができるものであり、これらの付帯設備が設けられていることで、張り出し床４及び屋外専用スペース３をより有効に利用することができる。
【００４４】
なお、これらの付帯設備の設置場所については、図２、或いは、図３に示されている場所に設けられるのではなく、屋外専用スペース３、張り出し床４の配置との関係で、いずれの場所に設けられても良い。また、付帯設備としては、スロップシンク３１、燈火類３２、防水コンセント３３のみならず、その他の設備であっても良い。
【００４５】
以上説明した少なくとも１つの実施の形態によれば、採光性を損なわず、開放感に優れた場所として屋外専用スペースを有効に利用することができる住宅を提供することができる。
【００４６】
本考案のいくつかの実施形態を説明したが、これらの実施形態は、例として提示したものであり、考案の範囲を限定することは意図していない。これらの実施形態は、その他の様々な形態で実施されることが可能であり、考案の要旨を逸脱しない範囲で、種々の省略、置き換え、変更を行うことができる。これらの実施形態やその変形は、考案の範囲や要旨に含まれると同様に、実用新案請求の範囲に記載された考案とその均等の範囲に含まれる。
【符号の説明】
【００４７】
１      住宅
２      住戸（第１の住戸部分）
３      屋外専用スペース
４      張り出し床
５      可動屋根
６      フェンス
７      仕切戸
２０    壁面
２１    玄関
２２    リビングダイニング
２３    キッチン
２４    洗面室
２５    浴室
２６    トイレ
２７    第１の居室
２８    第２の居室
２９    第３の居室
３０    第４の居室
３１    スロップシンク
３２    燈火類
３３    防水コンセント
４０    第２の住戸部分
４１    バルコニー
【図１】
0003226299.tif 000003
【図２】
0003226299.tif 000004
【図３】
0003226299.tif 000005